(57)【要約】
【課題】封筒等の厚みが変化しても常に安定した開封が可能で、使用後のメンテナンスも容易になるレターオープナーの提供を目的とする。
【解決手段】封筒など被開封物Ｐの端縁を挿通する挿通路１にカッター２を装着する。該カッター２の刃先２Ａにて被開封物Ｐの端縁を切開するレターオープナーを設ける。カッター２の刃先２Ａの両側に位置する挿通路１側面に、該挿通路１の幅員を狭める圧着側板３を設ける。挿通路３に挿通する被開封物Ｐをこの圧着板３で圧着しながら切開する。
【選択図】図１
0003101046.tif 000002
【実用新案登録請求の範囲】
【請求項１】
封筒など被開封物の端部を挿通せしめる挿通路にカッターを装着し、該カッターの刃先にて被開封物の端縁を切開するレターオープナーにおいて、カッターの刃先の両側に位置する挿通路側面に、指で摘んで挿通路の幅員を狭める圧着側板を設け、挿通路に挿通する被開封物をこの圧着板で圧着しながら切開することを特徴とするレターオープナー。
【請求項２】
前記カッターは板状の固定盤に固定されると共に、固定盤の一側縁に設けた薄肉部側に刃先が突出するように配設され、固定盤の片面に配したカバー体が前記薄肉部と対峙して前記挿通路を形成し、該薄肉部とカバー体との一部に略円弧形状の切欠部を設け、切欠部の内側に押厚変形自在な前記圧着側板を設けた請求項１記載のレターオープナー。
【請求項３】
前記切欠部から延長され、前記カッターの刃に沿って前記固定盤とカバー体とを貫通する略直線状の排除孔を開穿した請求項２記載のレターオープナー。
【考案の詳細な説明】
【技術分野】
【０００１】
本考案は、主に封筒の端部を切り離す際に用いるもので、特に封筒の厚みに対応して開封することができるレターオープナーに関する。
【背景技術】
【０００２】
封筒や二重折りの紙片等の端縁を切開する封筒等の切開具が引用文献１に記載されている。この切開具によると、本体の一方の端面に沿って設けられ、被切開物である封筒等の端縁を挿通させるように形成した凹溝状の挿通路部と、該挿通路部の一部を形成し、且つ、前記本体の端面に本体と一体形成された突出部の内部に形成した凹溝と、前記挿通路部の一部を形成し、且つ、前記突出部の凹溝に連続して設けられ挿通路部に沿って対向配置されるとともに該凹溝状の挿通路部の長さ方向の略中央部で近接又は押圧接触状態とされ透明の樹脂材等から形成した一対の板ばねと、該一対の板ばねの近接又は押圧接触状態の部分に刃先を向けつつ当該部分における前記本体の端面に取り付けたカッターと、前記カッターの刃先の近傍における本体の部分に設けた切欠孔とを有するものである。
【特許文献１】登録実用新案第３００２７３１号公報
【考案の開示】
【考案が解決しようとする課題】
【０００３】
前記引用文献１に記載された切開具では、透明の樹脂材等で形成した一対の板ばねと、該一対の板ばねが近接し又は押圧接触状態にある部分に刃先を向けたカッターとを使用し、板ばねの圧着力を利用して封筒の切開部分のセンター位置をカッターの刃先に合わせるようにガイドしている。そのため、板ばねの圧着力が極めて重要になっており、切開する封筒等の厚みは、この板ばねで圧着された状態で移動可能な厚みであることが必要である。
【０００４】
ところが、封筒等の厚みは、封筒の材質や収納枚数等で大きく異なることがある。例えば、ダイレクトメール等に使用されている封筒の材質などは、一般の紙材の外、合成樹脂製のフィルム材が使用されるなど、極めて多彩な材質が用いられている。このように、封筒等の厚みが異なると、前記板ばねで適正な位置にガイドすることが困難になる虞が生じる。
【０００５】
すなわち、封筒等の厚みが増大すると、板ばねの間を通過できなくなり、切開することができなくなる不都合がある。一方、封筒の厚みが極端に薄くなると、板ばねによる圧着力が不足して適正な位置にガイドできなくなる虞が生じる。このように、封筒などをガイドする板ばねは、その圧着力の調整が極めて重要になり、予め固定した板ばねでは、封筒の厚みが大きく変化すると安定した開封は困難になる。
【０００６】
更に、引用文献１の切開具によると、カッターの刃先に板ばねを装着しているので、切開時に生じる切粉等の微紛が、このカッターや板ばね部分に集積する虞もあった。そのため、引用文献１では、このカッターの刃先に近い本体に切欠孔を開穿し、この切欠孔から微紛を排出できるように形成している。ところが、カッターの刃先と板ばねとの間に集積した微紛を切欠孔から排出させるには、これら刃先と板ばねとの間に清掃用具を挿入して切欠孔から排出させる作業になるなど、切開具のメンテナンスに多くの時間や手間を要するものであった。
【０００７】
そこで本考案は上述の課題を解消し、前記特許文献１を改良すべく案出されたもので、封筒等の厚みが変化しても常に安定した開封が可能で、しかもメンテナンスも容易なレターペーパーの提供を目的とする。
【課題を解決するための手段】
【０００８】
本考案の第１の手段は、封筒など被開封物Ｐの端縁を挿通せしめる挿通路１にカッター２を装着し、該カッター２の刃先２Ａにて被開封物Ｐの端縁を切開するレターオープナーにおいて、カッター２の刃先２Ａの両側に位置する挿通路１側面に、指で摘んで挿通路１の幅員を狭める圧着側板３を設け、挿通路３に挿通する被開封物Ｐをこの圧着板３で圧着しながら切開することにある。
【０００９】
第２の手段において、前記カッター２は板状の固定盤４に固定されると共に、固定盤４の一側縁に設けた薄肉部４Ａがわに刃先２Ａが突出するように配設され、固定盤４の片面に配したカバー体５が前記薄肉部４Ａと対峙して前記挿通路１を形成し、該薄肉部４Ａとカバー体５との一部に略円弧形状の切欠部６を設け、切欠部６の内側に押厚変形自在な前記圧着側板３を設けている。
【００１０】
第３の手段は、前記切欠部６から延長され、前記カッター２の刃２Ｂに沿って前記固定盤４とカバー体５とを貫通する略直線状の排除孔７を開穿したことを課題解消のための手段とする。
【考案の効果】
【００１１】
本考案のレターオープナーによると、カッター２の刃先２Ａの両側に位置する挿通路１側面に、該挿通路１の幅員を狭める圧着側板３を設け、挿通路３に挿通する被開封物Ｐを指で摘んだ圧着板３で圧着しながら切開することにより、封筒等の厚みが変化しても常に安定した開封が可能になる。
【００１２】
また、前記カッター２は板状の固定盤４に固定されると共に、固定盤４の一側縁に設けた薄肉部４Ａ側に刃先２Ａが突出するように配設され、固定盤４の片面に配したカバー体５が前記薄肉部４Ａと対峙して前記挿通路１を形成し、該薄肉部４Ａとカバー体５との一部に略円弧形状の切欠部６を設け、切欠部６の内側に押厚変形自在な前記圧着側板３を設けたことで、本考案レターオープナーの構成を簡略化し、極めて安価な提供が可能になる。
【００１３】
しかも、略円弧形状の切欠部６の内側に押厚変形自在な前記圧着側板３を設けたことで、被開封物Ｐを通過せしめる際に、この圧着側板３が妨げにならずに済み、スムーズに切開することができる。
【００１４】
更に、前記切欠部６から延長され、前記カッター２の刃２Ｂに沿って前記固定盤４とカバー体５とを貫通する略直線状の排除孔７を開穿したことにより、切粉等の微紛を排出する際に、挿通路１や排除孔７に清掃用具を挿入して極めて簡単に排除できる。
【００１５】
また、排除孔７は圧着側板３を設けた切欠部６から延長しているので、排除孔７に微紛が詰まった場合でも、圧着側板３を押圧しながら清掃することで、排除孔７内の微紛を簡単に排除することが可能である。この結果、従来の切開具のように、カッターの刃先と板ばねとの間に集積した微紛の排除に多くの手間や時間を要するなどといった課題は解消され、使用後のメンテナンスが極めて容易になった。
【考案を実施するための最良の形態】
【００１６】
本考案によると、前記カッター２は板状の固定盤４に固定され、固定盤４の片面に配したカバー体５が前記薄肉部４Ａと対峙して前記挿通路１を形成する。挿通路１を形成したカバー体５の一部に略円弧形状の切欠部６を設け、該切欠部６から前記カッター２の刃２Ｂに沿って排除孔７を開穿する。切欠部６の内側に押厚変形自在な前記圧着側板３を設ける。そして、挿通路３に挿通する被開封物Ｐの端部をこの圧着板３で圧着しながら切開することにより、封筒等の厚みが変化しても常に安定した開封が可能で、しかもメンテナンスも容易になるといった目的を実現した。
【実施例】
【００１７】
本考案レターオープナーは、封筒など被開封物Ｐの端縁を挿通する挿通路１にカッター２を装着し、該カッター２の刃先２Ａにて被開封物Ｐの端縁を切開するものである（図５参照）。
【００１８】
挿通路１は、カッター２を固定する固定盤４とカバー体５とで形成されている（図２参照）。すなわち、カッター２は、板状の固定盤４に固定されると共に、固定盤４の一側縁に設けた薄肉部４Ａ側に刃先２Ａが突出するように配設されている。そして、固定盤４の片面に配したカバー体５が前記薄肉部４Ａと対峙することで前記挿通路１を形成するものである。図示の挿通路１は、内部のカッター２に近付くほど狭くなるように形成して切開の精度を高めている（図２参照）。また、被開封物Ｐを通過せしめる挿通路１のカッター２刃先２Ａがわ端部も拡開して被開封物Ｐを導入し易くしている（図３参照）。
【００１９】
更に、薄肉部４Ａとカバー体５との一部に略円弧形状の切欠部６を設け、切欠部６の内側に押厚変形自在な前記圧着側板３を設けている。そして、挿通路３に挿通する被開封物Ｐを指で摘んだ圧着板３で圧着しながら切開するものである。図示例の圧着側板３は、合成樹脂材の弾性を利用したもので、略半円状の圧着側板３外側を指で摘むことで、挿通路１がわに撓むように設けている（図４参照）。
【００２０】
図１に示す符号７は、切開時に生じる切粉等の微紛を挿通路１から排除する排除孔である。この排除孔７は、前記切欠部６から延長され、前記カッター２の刃２Ｂに沿って前記固定盤４とカバー体５とを貫通した略直線状の孔である。この排除孔７は、特にカッター２の刃先２Ａや刃２Ｂの周辺に集積された微紛を排出するのに都合が良い。
【００２１】
尤も、挿通路１内の微紛は、カッター２以外の障害物がないのであるから、挿通路１に筆状の清掃具等で清掃することで極めて容易に排除することができる。また、略円弧状に形成した切欠部６に微紛が詰まった場合は、切欠部６の側面から排除することも可能であるが、圧着側板３を押圧した状態で挿通路１内部を清掃することで、切欠部６内部の微紛を容易に排除することができる。
【図面の簡単な説明】
【００２２】
【図１】本考案の挿通路とカッターとの一実施例を示す正断面図である。
【図２】本考案の一実施例を示す側面図である。
【図３】本考案の一実施例を示す平面図である。
【図４】本考案の圧着側板を指にて押圧した状態を示す平断面図である。
【図５】本考案の使用状態を示す概略正面図である。
【符号の説明】
【００２３】
Ｐ  被開封物
１  挿通路
２  カッター    ２Ａ  刃先
２Ｂ  刃
３  圧着側板
４  固定盤      ４Ａ  薄肉部
５  カバー体
６  切欠部
７  排除孔
【図１】
0003101046.tif 000003
【図２】
0003101046.tif 000004
【図３】
0003101046.tif 000005
【図４】
0003101046.tif 000006
【図５】
0003101046.tif 000007